(57)【要約】【課題】  コンロ天板(52)のバーナ用開口(52a)の下方に配設された内炎式バーナ(2)のバーナボディ(22)の下方に配設され且つ内周に炎孔(21)を備える環状のバーナボディ(22)を具備する内炎式バーナ(2)と、前記バーナボディ(22)の下方に配設され、且つ、外周側の二次空気口から前記炎孔(21)の下側に燃焼用二次空気を案内する二次空気ガイドとを具備するコンロに於いて、鍋(9)から吹き零れた煮汁が前記二次空気口からコンロケース(51)内に直線的に飛び込むのを防止する。【解決手段】  前記バーナボディ(22)の外周側の上方域から内側へ迫出し、且つ、前記バーナボディ(22)の内周の炎孔(21)形成域を平面視に於いて覆うカバーリングと、前記カバーリングの内周縁上部と前記バーナボディ(22)の内周下端に接する接線より外側に前記二次空気口が位置すること。【選択図】  図２
2006292304.tif 000002
【特許請求の範囲】
【請求項１】
バーナ用開口(52a)が開設されたコンロ天板(52)と、
前記バーナ用開口(52a)の下方に配設され、且つ、内周に炎孔(21)を備える環状のバーナボディ(22)を具備する内炎式バーナ(2)と、
前記バーナボディ(22)の下方に配設され、且つ、外周側の二次空気口から前記炎孔(21)の下側に燃焼用二次空気を案内する二次空気ガイドとを具備するコンロに於いて、
前記バーナボディ(22)の外周側の上方域から内側へ迫出し、且つ、前記バーナボディ(22)の内周の炎孔(21)形成域を平面視に於いて覆うカバーリングと、
前記カバーリングの内周縁上部と前記バーナボディ(22)の内周下端に接する接線より外側に前記二次空気口が位置する、コンロ。
【請求項２】
請求項１に記載のコンロに於いて、
前記カバーリングは、前記コンロ天板(52)の前記バーナ用開口(52a)の周縁を上方から覆う態様で配設される五徳(4)の五徳枠(41)である、コンロ。
【請求項３】
請求項１に記載のコンロに於いて、
前記二次空気ガイドは外周から中央側に向けて低くなるテーパ状に形成されていると共に、前記テーパ状部の最深部には汁受け皿(32)が配設されており、
前記カバーリングは、前記コンロ天板(52)の前記バーナ用開口(52a)の周縁を上方から覆う態様で配設され且つ鍋から吹き零れる煮汁を前記バーナボディ(22)の内側に落下させる煮汁カバーである、コンロ。
【請求項４】
請求項１から請求項３の何れかに記載のコンロに於いて、
前記二次空気ガイドの外周端は、前記バーナボディ(22)の外周より更に外側に位置している、コンロ。
【発明の詳細な説明】
【技術分野】
【０００１】
本発明は、内炎式バーナを備えたコンロに関するもので、鍋から吹き零れた煮汁が内炎式バーナの中央孔からコンロケース内に落下すること等を防止するものである。
【背景技術】
【０００２】
図５は、従来のコンロのバーナ配設部の断面図である（特許文献１の図２参照）。
コンロ天板(52)に開設されたバーナ用開口(52a)と同心状に配設された炎ガイド(6)の下方には、内周に炎孔(21)が形成されたバーナボディ(22)を備えた内炎式バーナ(2)が設けられている。
上記バーナボディ(22)の下方には、汁受け皿(32)と該汁受け皿(32)を落とし込み状態に装着する皿支持枠(30)が設けられている。上記皿支持枠(30)の外径はバーナボディ(22)の下端内径より一回り小さく設定されており、これにより、皿支持枠(30)の外周とバーナボディ(22)との間隙が二次空気口(A)として機能し、この二次空気口(A)から炎孔(21)へ燃焼用二次空気が供給されるようになっている。
又、コンロ天板(52)上にはバーナ用開口(52a)の周縁に沿った五徳枠(41)とこれに一体形成された五徳爪(42)から成る五徳(4)が載置されていると共に、五徳枠(41)の内周縁はテーパ筒状の炎ガイド(6)の内側まで迫出している。
【０００３】
このものでは、内炎式バーナ(2)を燃焼させると、汁受け皿(32)を支持する皿支持枠(30)の外周の二次空気口(A)からバーナボディ(22)の内周に燃焼用二次空気が供給されてバーナ燃焼が継続し、これにより、五徳(4)上の鍋(9)が加熱される。従って、このものでは、汁受け皿(32)と皿支持枠(30)の組合せが二次空気をガス燃焼部へ案内する二次空気ガイドとして機能する。
一方、調理時に鍋(9)から煮汁が吹き零れると、これがバーナボディ(22)内周の炎孔(21)の上方を覆う煮汁カバーとして機能する五徳枠(41)の内周端から汁受け皿(32)上に落下する。従って、煮汁がバーナボディ(22)の内周の炎孔(21)に付着して燃焼不良を生じさせることがなく、又、煮汁が内炎式バーナ(2)の下方のコンロケース内部に落下し難くなる。
【特許文献１】特開２００４−２３２９７３号公報
【発明の開示】
【発明が解決しようとする課題】
【０００４】
しかしながら、上記従来のものでは、内炎式バーナ(2)の下方の二次空気口(A)が、コンロ上方の調理作業位置から五徳(4)の中央孔越しに直視し得る位置にあり、鍋(9)から吹き零れた煮汁等が前記二次空気口(A)に対して直線的に斜めに飛び込んでコンロケース(51)内を汚染する可能性がある。
又、鍋(9)を五徳(4)から降ろした状態では、内炎式バーナ(2)の内周下端に沿った前記二次空気口(A)が五徳(4)上方から露見できる状態になって意匠感を害するという問題があった。
【０００５】
本発明は、かかる点に鑑みて成されたもので、
『バーナ用開口(52a)が開設されたコンロ天板(52)と、
前記バーナ用開口(52a)の下方に配設され、且つ、内周に炎孔(21)を備える環状のバーナボディ(22)を具備する内炎式バーナ(2)と、
前記バーナボディ(22)の下方に配設され、且つ、外周側の二次空気口から前記炎孔(21)の下側に燃焼用二次空気を案内する二次空気ガイドとを具備するコンロ』に於いて、鍋(9)から吹き零れた煮汁が、二次空気ガイド(31)の外周の二次空気口からコンロケース(51)内に直線的に飛び込むのを防止して該コンロケース(51)内の汚染防止を図ると共に、前記二次空気口がコンロ上方から露見できないようにして意匠感の向上を図ることを課題とする。
【課題を解決するための手段】
【０００６】
［請求項１に係る発明]
上記課題を解決する為の請求項１に係る発明の技術的手段は、
『前記バーナボディ(22)の外周側の上方域から内側へ迫出し、且つ、前記バーナボディ(22)の内周の炎孔(21)形成域を平面視に於いて覆うカバーリングと、
前記カバーリングの内周縁上部と前記バーナボディ(22)の内周下端に接する接線より外側に前記二次空気口が位置する』ことである。
上記技術的手段によれば、バーナボディ(22)の外周側から内側に迫出したカバーリングが設けられているから、鍋から吹き零れた煮汁がバーナボディ(22)の内周の炎孔(21)に落下することがなく、バーナの燃焼が阻害されることがない。
一方、カバーリングの内周縁上部とバーナボディ(22)の内周下端に接する接線より外側に二次空気口（炎孔(21)に対して下側から燃焼用二次空気を供給する開口）が設けられている。従って、前記接線と二次空気ガイドの交点より外側に前記二次空気口が位置する。よって、鍋から吹き零れた煮汁が二次空気ガイドに直撃する点は全て前記交点より内側であり、該煮汁が二次空気口内に飛び込んで内炎式バーナ(2)の下方のコンロケース(51)内を汚染することがない。
又、前記二次空気口は前記接線の外側に位置するから、バーナボディ(22)に隠れて調理作業位置から露見できない状態になり、意匠感が向上する。
【０００７】
［請求項２に係る発明]
請求項１に係る発明に於いて、
『前記カバーリングは、前記コンロ天板(52)の前記バーナ用開口(52a)の周縁を上方から覆う態様で配設される五徳(4)の五徳枠(41)である』ものとすれば、五徳枠(41)がカバーリングの機能を兼備するから、独立したカバーリングを設ける必要がなく、部品点数が増加しない。
【０００８】
［請求項３に係る発明］
請求項１に係る発明に於いて、
『前記二次空気ガイドは外周から中央側に向けて低くなるテーパ状に形成されていると共に、前記テーパ状部の最深部には汁受け皿(32)が配設されており、
前記カバーリングは、前記コンロ天板(52)の前記バーナ用開口(52a)の周縁を上方から覆う態様で配設され且つ鍋から吹き零れる煮汁を前記バーナボディ(22)の内側に落下させる煮汁カバーである』ものとすることができる。
このものでは、煮汁カバーから二次空気ガイドに落下した煮汁は、該二次空気ガイド上面の傾斜に沿って流れて汁受け皿(32)に回収される。
【０００９】
［請求項４に係る発明］
請求項１〜３に係る発明に於いて、
『前記二次空気ガイドの外周端は、前記バーナボディ(22)の外周より更に外側に位置している』ものとすることができる。
このものでは、バーナボディ(22)の上面外周部に煮汁が飛び込むことがあっても、該煮汁はバーナボディ(22)の外周縁から二次空気ガイドの外周部に落下するから、コンロケース(51)内が煮汁で汚染される不都合を一層確実に防止できる。
【発明の効果】
【００１０】
本発明は次の特有の効果を有する。
上記したように、鍋から吹き零れた煮汁が二次空気ガイドに直撃する点は全て前記交点より内側であるから、前記煮汁が二次空気ガイドの外周近傍の二次空気口内に飛び込むことがなく、該煮汁で内炎式バーナ(2)の下方のコンロケース(51)内が汚染されることがない。
又、前記二次空気口は前記接線の外側に位置するから、これがバーナボディ(22)に隠れて調理作業位置から露見できない状態になり、意匠感が向上する。
請求項２に係る発明によれば、前述のように、五徳枠(41)がカバーリングの機能を兼備するから、独立したカバーリングを設ける必要がなく、部品点数が増加しない。
請求項３に係る発明によれば、煮汁カバーから二次空気ガイドに落下した煮汁が汁受け皿(32)に回収されるから、煮汁の清掃が容易に行なえる。
【発明を実施するための最良の形態】
【００１１】
以下に、本発明を実施するための最良の形態について添付図面を参照しながら説明する。
《第１実施形態》
［全体構成]
図１は、システムキッチンのカウンタートップ(K)に開設された開口(K1)に落とし込み状態に装着するドロップインコンロ(5)の斜視図である。
前記開口(K1)に落とし込み状態に装着される矩形箱状のコンロケース(51)内には、能力の異なった内炎式バーナ(2)(2)と外炎式バーナ(15)が三角形の各頂点となる位置に設けられていると共に、コンロケース(51)の上方開放部はガラス製のコンロ天板(52)で被覆されている。尚、コンロケース(51)の前面には、グリル扉(53)とこれに隣接するコンロ操作部(54)が形成されており、該コンロ操作部(54)にはガスバーナの点・消火ボタン(540)(540)や火力調節レバー(541)(541)が設けられている。以下、各部の詳細を説明する。
【００１２】
［コンロ天板(52)及び保護カバー(55)]
図２は、図１のII−II線の拡大断面図である。
コンロ天板(52)に開設されたバーナ用開口(52a)の周縁は、上下に嵌合される環状の上枠(55a)と下枠(55b)とからなる保護カバー(55)で覆われており、これにより、ガラス製のコンロ天板(52)に開設されたバーナ用開口(52a)の周縁部の損傷防止が図られている。
【００１３】
［五徳(4)]
コンロ天板(52)のバーナ用開口(52a)に臨む位置に載置された五徳(4)は、バーナ用開口(52a)の周縁を上方から覆う五徳枠(41)とこれの上面に沿って周方向に所定ピッチで設けられた複数の五徳爪(42)を備えている。
五徳枠(41)は、環状平板をプレスで絞り加工したもので、コンロ天板(52)の上面に載置される外周板(411)と、その上端から内側に屈曲した上面板(412)と、その内周から内側に向けて低くなる緩いテーパ状の内周傾斜板(413)と、更にその内周から屈曲垂下する内周垂下板(414)を具備している。前記五徳枠(41)は、平面視に於いて後述のバーナボディ(22)の外周側から内側へ迫出していると共に、該五徳枠(41)の内周縁はバーナボディ(22)の内周の炎孔(21)形成域を平面視に於いて覆っている。従って、本実施の形態では、五徳枠(41)が請求項１に記載のカバーリングに対応する。
又、五徳枠(41)の上面板(412)には、五徳爪(42)から下方に突出する嵌入突起(420)を差し込んでかしめるためのカシメ孔(44)が開設されていると共に、内周傾斜板(413)には、五徳爪(42)から垂下する位置決め脚(421)が貫通している。又、位置決め脚(421)の下端は前述したコンロ天板(52)のバーナ用開口(52a)の保護カバー(55)に形成された内方開放の切欠(56)に嵌入しており、該嵌入により五徳(4)が周方向に位置決めされている。
【００１４】
［炎ガイド(6)]
五徳枠(41)の下方には、下方に向けて直径拡大するテーパ筒状の炎ガイド(6)が設けられていると共に、該炎ガイド(6)の上端は五徳枠(41)の内周垂下板(414)の外側に位置している。又、炎ガイド(6)の下面とバーナボディ(22)の上面との間隙は、該間隙の最外周端に形成された上側二次空気口(20a)から炎孔(21)の上側に燃焼用二次空気を供給する為の二次空気通路(20)となっている。
【００１５】
［内炎式バーナ(2)]
炎ガイド(6)の下方に設けられた内炎式バーナ(2)は、金属板を絞り加工して形成した上半体(24)と下半体(25)をカシメ結合したもので、その円環状のバーナボディ(22)には、図示しない混合管からガス供給されるようになっている。尚、バーナボディ(22)と、既述した炎ガイド(6)，五徳枠(41)及びバーナ用開口(52a)は全て同心状に配設されている。
【００１６】
［二次空気ガイド(31)]
バーナボディ(22)の中央孔(220)に下方から対向する二次空気ガイド(31)は、外周から中央側に向けて低くなるテーパ状に形成されていると共に、平面視でバーナボディ(22)より一回り大きな円板状に形成されている。これにより、バーナボディ(22)の上面から外周縁(26)を伝って滴下する煮汁（調理時の鍋から吹き零れたもの）は、二次空気ガイド(31)上を中心に向かって流動し、中央の凹部(311)に装着された汁受け皿(32)内に回収される。又、二次空気ガイド(31)の外周には煮汁漏れを防止する為の周縁起立部(33)が屈曲起立している。
【００１７】
又、バーナボディ(22)と二次空気ガイド(31)は二次空気通路(23)となる間隙を隔てて上下に配設されていると共に、前記二次空気通路(23)の最外周側である前記周縁起立部(33)とバーナボディ(22)の間隙が下側二次空気口(230)（既述発明特定手段たる「二次空気口」に対応する。）となっている。尚、二次空気通路(23)の上下寸法が大きくなると器具高さが増加するので、該上下寸法を小さくして器具のコンパクト化の要請に応える必要があるが、二次空気ガイド(31)がバーナボディ(22)に接近し過ぎると二次空気ガイド(31)上に付着した煮汁が火炎で加熱されて二次空気ガイド(31)に固着する不都合がある。従って、二次空気通路(23)の上下寸法は、上記コンパクト化を考慮しつつ、固着防止が図れるように所定以上の大きさに設定する。
【００１８】
二次空気ガイド(31)はバーナボディ(22)より一回り大きな平面形状を有していることは前述の通りであるが、五徳枠(41)の内周傾斜板(413)と内周垂下板(414)の屈曲境界点(415)とバーナボディ(22)の内周下端(27)に接する接線(S)より外側に下側二次空気口(230)が位置している。即ち、接線(S)と二次空気ガイド(31)の交点(P)より外側に前記下側二次空気口(230)が位置している。よって、加熱対象たる鍋から吹き零れた煮汁が二次空気ガイド(31)に直撃する点は全て前記交点(P)より内側であり、煮汁が下側二次空気口(230)内に飛び込んで内炎式バーナ(2)の下方のコンロケース(51)内を汚染することがない。
【００１９】
又、前記下側二次空気口(230)は前記接線(S)より外側に位置しているから、ドロップインコンロ(5)の上方から五徳枠(41)の中央孔越しに二次空気ガイド(31)を見たとき、前記下側二次空気口(230)がバーナボディ(22)に隠れて調理作業位置から露見できない状態になり、意匠感が向上する。
尚、本実施の形態では、鍋から吹き零れる煮汁は、平面視に於いてバーナボディ(22)の内周縁より内側に迫出している五徳枠(41)の内周から、バーナボディ(22)の中央孔(220)に落下するから、該煮汁が炎孔(21)に付着することがない。よって、本実施の形態では、五徳枠(41)が、炎孔(21)への煮汁付着を防止する煮汁カバーとしての機能を兼備している。従って、独立した煮汁カバーを設ける場合に比べて部品点数が少なくて済む。
【００２０】
［汁受け皿(32)]
二次空気ガイド(31)の中央に形成された凹部(311)に落とし込まれる汁受け皿(32)の上部外周に張り出した係合フランジ(321)は、二次空気ガイド(31)の凹部(311)の上端外周に形成された係合段部(312)に係合されると共に、係合フランジ(321)の一部からは摘み片(322)が上方へ突設されており、摘み片(322)を摘んで汁受け皿(32)を取り外すことにより、該汁受け皿(32)に貯留された煮汁を除去・洗浄できるようになっている。
【００２１】
《第２実施形態》
上記第１実施の形態では、二次空気ガイド(31)の外周縁とバーナボディ(22)との間隙が下側二次空気口(230)となる構造にしたが、図３に示す第２実施形態のように、二次空気ガイド(31)の外周近傍の板厚部に透孔(31a)を貫設してもよい。この場合、透孔(31a)のバーナボディ(22)側の縁と該バーナボディ(22)との間隙が下側二次空気口(230)となる。
このものは、五徳枠(41)の屈曲境界点(415)とバーナボディ(22)の内周下端(27)に接する接線(S)より外側に下側二次空気口(230)やこれに隣接する透孔(31a)を形成している。これにより、既述実施の形態と同様、五徳(4)上の鍋から吹き零れた煮汁が下側二次空気口(230)や透孔(31a)内に直線的に飛び込むのを防止することができ、該煮汁が内炎式バーナ(2)の下方のコンロケース(51)内に侵入してこれを汚染することがない。又、ドロップインコンロ(5)の上方から五徳枠(41)の中央孔越しに二次空気ガイド(31)を見たとき、前記下側二次空気口(230)や透孔(31a)がバーナボディ(22)で隠れて露見できないから、意匠感が向上する。
【００２２】
《第３実施形態》
図４に示す第３実施形態のものでは、コンロ天板(52)上に、バーナ用開口(52a)の周縁を覆う独立した煮汁カバー(7)を設けたものである。
この煮汁カバー(7)は、第１，第２実施形態の五徳枠(41)とほぼ同一構造を有している。即ち、煮汁カバー(7)は、コンロ天板(52)の上面に載置される外周板(711)と、その上端から内側に屈曲した上面板(712)と、その内周から内側に向けて低くなる緩いテーパ状の内周傾斜板(713)と、更にその内周から屈曲垂下する内周垂下板(714)を具備している。
一方、五徳(4)は、煮汁カバー(7)の外周に沿って曲成された金属棒から成る五徳枠(41’)と、該五徳枠(41’)に固定された五徳爪(42)とから構成されている。
その他は、既述第１実施形態と同様に構成されている。
従って、既述実施の形態と同様の接線(S)（煮汁カバー(7)の内周傾斜板(713)と内周垂下板(714)の屈曲境界点(715)とバーナボディ(22)の内周下端(27)に接する接線）より外側に下側二次空気口(230)が形成され、上記各実施の形態と同様の効果が得られる。
【００２３】
［その他]
１．図４の煮汁カバー(7)を設けることなく、コンロ天板(52)の内周縁をバーナボディ(22)の内周の炎孔(21)形成域より前方に迫出させても良い。この場合、コンロ天板(52)の内周縁から滴下する煮汁は、バーナボディ(22)の中央孔(21)を通過して二次空気ガイド(31)から汁受け皿(32)に回収される。従って、このものでは、コンロ天板(52)の内周縁近傍が請求項１の発明特定事項たるカバーリングに対応する。
２．煮汁カバー(7)と炎ガイド(6)を一体化してコンロ天板(52)又はバーナボディ(22)上に載置させてもよい。この場合、煮汁カバー(7)と炎ガイド(6)の結合体の構成壁のうち、内周側に最も迫出している部分（煮汁カバー(7)か炎ガイド(6)かは問わない）の内周縁上部とバーナボディ(22)の内周下端(27)に接する接線より外側に下側二次空気口(230)を形成する。
３．上記各実施の形態では、二次空気ガイド(31)に形成した凹部(311)に汁受け皿(32)を装着したが、二次空気ガイド(31)に於ける凹部(311)に相当する部位に開設された貫通孔に汁受け皿(32)を落とし込み状態に装着してもよい。
【図面の簡単な説明】
【００２４】
【図１】本発明の実施の形態を説明するドロップインコンロ(5)の全体斜視図
【図２】図１のII−II線の拡大断面図
【図３】第２実施形態の要部断面図
【図４】第３実施形態の要部断面図
【図５】従来例の説明図
【符号の説明】
【００２５】
(2)・・・内炎式バーナ
(4)・・・五徳
(22)・・・バーナボディ
(32)・・・汁受け皿
(41)・・・五徳枠
(52)・・・コンロ天板
(52a)・・・バーナ用開口
(230)・・・下側二次空気口（二次空気口）
【図１】
2006292304.tif 000003
【図２】
2006292304.tif 000004
【図３】
2006292304.tif 000005
【図４】
2006292304.tif 000006
【図５】
2006292304.tif 000007